(57)【要約】  本発明は、局（２０）に向けて無線信号の形態でデータを送信する手段を備える端末（１０）に関し、無線信号は、複数の端末（１０）に共有される周波数リソース（ＭＣ）を使用して送信され、端末は、瞬時周波数スペクトルの帯域幅（ＴＯＢ）が端末の周波数合成手段の周波数ドリフトより有意に低い無線信号を放出するように構成されることを特徴とする。本発明は、周波数リソースを使用する方法、端末（１０）を製造する方法、および遠隔通信システム（１）にも関する。【選択図】図５
2013535132.tif 000002
【特許請求の範囲】
【請求項１】
局（２０）に向けて無線信号の形態でデータを送信する手段を備える端末（１０）であって、前記無線信号は、複数の端末（１０）に共有される周波数リソース（ＭＣ）を使用して送信され、前記端末は、瞬時周波数スペクトルの帯域幅（ＴＯＢ）が前記端末の周波数合成手段の周波数ドリフトより有意に低い無線信号を放出するように構成されることを特徴とする端末（１０）。
【請求項２】
周波数リソース（ＭＣ）の事前定義された単一の周波数サブバンドで、または事前定義された周波数リソース（ＭＣ）の周波数サブバンドの単一のシーケンスに従って無線信号を送信するように静的に構成されることを特徴とする請求項１に記載の端末（１０）。
【請求項３】
共有周波数リソース（ＭＣ）の周波数サブバンドでいつ無線信号を放出するかを自律的に決定するように構成されることを特徴とする請求項１又は２に記載の端末（１０）。
【請求項４】
共有周波数リソース（ＭＣ）の周波数サブバンドで無線信号を放出する際に使用する電力を自律的に決定するように構成されることを特徴とする請求項１〜３のいずれか一項に記載の端末（１０）。
【請求項５】
無線信号は、拡散符号を利用して事前に拡散された信号であり、好ましくは、前記端末は、事前定義された単一の拡散符号または事前定義された拡散符号のシーケンスを使用するように静的に構成されることを特徴とする請求項１〜４のいずれか一項に記載の端末（１０）。
【請求項６】
−  請求項１〜５のいずれか一項に記載の複数の端末（１０）、および
−  共有周波数リソース（ＭＣ）の異なる周波数サブバンドで同時に放出された無線信号を検出および復号する手段を備えた少なくとも１つの局（２０）
を備えることを特徴とする遠隔通信システム（１）。
【請求項７】
局（２０）は、共有周波数リソース（ＭＣ）中の周波数スペクトルを判定するように適合されたＦＦＴブロック（２１２）と、端末（１０）から放出された無線信号に対応する可能性のある少なくとも１つのエネルギー・ピークを判定された周波数スペクトル中で探索するように適合された検出ブロック（２１３）とを備えることを特徴とする請求項６に記載のシステム（１）。
【請求項８】
少なくとも１つの局（２０）に無線信号の形態でデータを放出するために複数の端末（１０）に共有される周波数リソース（ＭＣ）を使用する方法であって、各端末（１０）は、瞬時周波数スペクトルの帯域幅（ＴＯＢ）が前記端末の周波数合成手段の周波数ドリフトより有意に低い無線信号を放出することを特徴とする方法。
【請求項９】
各端末は、周波数リソース（ＭＣ）の事前定義された単一の周波数サブバンドで、または事前定義された周波数リソース（ＭＣ）の周波数サブバンドの単一のシーケンスに従って無線信号を放出するように事前に静的に構成されることを特徴とする請求項８に記載の共有周波数リソース（ＭＣ）を使用する方法。
【請求項１０】
各端末（１０）は、共有周波数リソース（ＭＣ）の周波数サブバンドでいつ無線信号を放出するかを自律的に決定することを特徴とする請求項８又は９に記載の共有周波数リソース（ＭＣ）を使用する方法。
【請求項１１】
各端末（１０）は、共有周波数リソース（ＭＣ）の周波数サブバンドで無線信号を放出する際に使用する電力を自律的に決定することを特徴とする請求項８〜１０のいずれか一項に記載の共有周波数リソース（ＭＣ）を使用する方法。
【請求項１２】
共有周波数リソース（ＭＣ）を使用するように設計された遠隔通信端末（１０）の製造方法であって、各端末（１０）を製造するために、
−  実質的に均等な法則に従って分散された乱数または擬似乱数を生成する少なくとも１つの生成器に従って、少なくとも１つの乱数または擬似乱数を取得するステップ、
−  前記少なくとも１つの乱数または擬似乱数に従って、周波数リソース（ＭＣ）の周波数サブバンド、または周波数リソース（ＭＣ）の周波数サブバンドのシーケンスを決定するステップ、および
−  前記少なくとも１つの乱数または擬似乱数に従って決定された周波数サブバンドのみで、または前記周波数リソース（ＭＣ）の周波数サブバンドの事前定義されたシーケンスのみに従って無線信号を送信するように静的に構成された周波数合成手段を前記端末（１０）に備えるステップ
を含むことを特徴とする製造方法。
【請求項１３】
各端末は周波数合成手段を備え、前記周波数合成手段の周波数ドリフトは、前記端末（１０）から放出される無線信号の瞬時周波数スペクトルの所定帯域幅（ＴＯＢ）より有意に大きいことを特徴とする請求項１２に記載の製造方法。
【請求項１４】
端末（１０）に静的に割り当てる周波数リソース（ＭＣ）の周波数サブバンド、または前記周波数リソース（ＭＣ）の周波数サブバンドのシーケンスを決定するステップが、
−  分数周波数合成器の小数除算値を選択するステップ、
−  電圧制御発振器に適用される制御電圧値を選択するステップ、
−  発振器の振動周波数を変更するために前記端末（１０）の内部に搭載するコンポーネントの群を選択するステップ、
−  発振器の振動周波数を変更するために少なくとも１つのコンポーネントに行う物理パッチを選択するステップ
の少なくとも１つを含むことを特徴とする請求項１２又は１３に記載の製造方法。
【発明の詳細な説明】
【技術分野】
【０００１】
本発明は、遠隔通信の分野に関し、特にワイヤレス遠隔通信の分野に関する。本発明は、より詳細には、同じ周波数リソースを共有する異なる端末によって放出される無線信号の多重化に関する。
【背景技術】
【０００２】
現在の遠隔通信ネットワークで無線信号を多重化して、異なる端末が共有周波数リソースにアクセスして局と通信できるようにする主要な周知の技術は、主として、以下の方式で無線信号を多重化することに基づく。
−  異なる周波数サブバンドで無線信号を放出する（「周波数分割多重接続」またはＦＤＭＡ）。
−  異なる時間間隔で無線信号を放出する（「時分割多重接続」またはＴＤＭＡ）。
−  概ね実質的に相互に直交する符号を利用して無線信号の周波数スペクトルを分散させる（「符号分割多重接続」またはＣＤＭＡ）。
【０００３】
これらの各技術は、物理チャネル（周波数サブバンド、時間間隔、拡散符号）を異なる端末に割り当てる機構に基づくが、それらの機構は、しばしば、非常に複雑で動的であり、局、より一般的にはネットワークに集中化される。
【０００４】
そのような割り当て機構は、端末を一方では局と、他方では他の端末と厳密に時間および／または周波数同期させることを必要とし、同期のプロトコルは、多くの場合複雑で、また定期的に各端末の電源を投入することを必要とするためにエネルギーを消費する。
【０００５】
そのような割り当て機構は、データ・レートが非常に低い遠隔通信システム（毎秒数ビット）に適合性がないと理解される。これは、そのようなデータ・レートは、端末と局との間、および／または非常に長距離の遠隔通信システム（郊外地域では数十キロメートル）との間で同期を維持するのに十分でなく、遠隔にある端末間で同期を維持することは非常に難しいためである（伝搬遅延、ドップラー効果等）。
【発明の概要】
【発明が解決しようとする課題】
【０００６】
本発明の目的は、上述の問題を克服すること、特に、単純で低費用で実施することができる一方で、異なる端末から放出された無線信号間の衝突を生じにくくすることを保証する、いくつかの端末に共有される周波数リソースを使用する方法を提案することである。
【課題を解決するための手段】
【０００７】
本発明の制限されない有利な応用例の１つは、低データ・レートの情報収集システム、例えば測定された物理パラメータを表すデータをセンサが繰り返しデータ収集局に放出するセンサ・ネットワークなどに関連する。非制限的な一例は、電気メータまたはガス・メータに内蔵されたセンサに関連し、センサは、電気またはガス消費量の請求書を確定するためにそのデータを収集局に放出する。
【０００８】
第１の実施形態によると、本発明は、局に向けて無線信号の形態でデータを送信する手段を備える端末に関し、無線信号は、複数の端末に共有される周波数リソースを使用して送信される。端末は、瞬時周波数スペクトルの帯域幅が端末の周波数合成手段の周波数ドリフトより有意に低い無線信号を放出するように構成される。
【０００９】
特定の実施形態によると、端末は以下の特徴の１つまたはいくつかを備え、それら特徴は単独で検討しても、技術的に可能な組み合わせに従って検討してもよい。
【００１０】
好ましくは、端末は、周波数リソースの事前定義された単一の周波数サブバンドで、または事前定義された周波数リソースの周波数サブバンドの単一のシーケンスに従って無線信号を送信するように静的に構成される。
【００１１】
好ましくは、端末は、共有周波数リソースの周波数サブバンドでいつ無線信号を放出するかを自律的に決定するように構成される。
【００１２】
好ましくは、端末は、共有周波数リソースの周波数サブバンドで無線信号を放出する際に使用する電力を自律的に決定するように構成される。
【００１３】
好ましくは、無線信号は、拡散符号を利用して事前に拡散された信号である。有利には、端末は、事前定義された単一の拡散符号または事前定義された拡散符号のシーケンスを使用するように静的に構成される。
【００１４】
第２の実施形態によると、本発明は遠隔通信システムに関し、この遠隔通信システムは、本発明による複数の端末、および共有周波数リソースの互いに異なる周波数サブバンドで同時に放出された無線信号を検出および復号する手段を備えた少なくとも１つの局を備える。
【００１５】
好ましくは、遠隔通信システム局は、共有周波数リソースの周波数スペクトルを判定するように適合されたＦＦＴブロックと、端末から放出された無線信号に対応する可能性のある少なくとも１つのエネルギー・ピークを判定された周波数スペクトル中で探索するように適合された検出ブロックとを備える。
【００１６】
第３の実施形態によると、本発明は、少なくとも１つの局に無線信号の形態でデータを放出するために複数の端末に共有される周波数リソースを使用する方法に関し、各端末は、瞬時周波数スペクトルの帯域幅が端末の周波数合成手段の周波数ドリフトより有意に低い無線信号を放出する。
【００１７】
特定の実施形態によると、共有周波数リソースを使用する方法は以下の特徴の１つまたはいくつかを備え、それら特徴は単独で検討しても、技術的に可能な組み合わせに従って検討してもよい。
【００１８】
好ましくは、各端末は、周波数リソースの事前定義された単一の周波数サブバンドで、または事前定義された周波数リソースの周波数サブバンドの単一のシーケンスに従って無線信号を放出するように事前に静的に構成される。
【００１９】
好ましくは、各端末は、共有周波数リソースの周波数サブバンドでいつ無線信号を放出するかを自律的に決定する。
【００２０】
好ましくは、各端末は、共有周波数リソースの周波数サブバンドで無線信号を放出する際に使用する電力を自律的に決定する。
【００２１】
第４の実施形態によると、本発明は、共有周波数リソースを使用するように設計された端末を製造する方法に関する。各端末を製造するための製造の方法は、
−  実質的に均等な法則に従って分散された乱数または擬似乱数を生成する少なくとも１つの生成器に従って、少なくとも１つの乱数または擬似乱数を取得するステップ、
−  少なくとも１つの乱数または擬似乱数に従って、周波数リソースの周波数サブバンド、または周波数リソースの周波数サブバンドのシーケンスを決定するステップ、および
−  少なくとも１つの乱数または擬似乱数に従って決定された周波数サブバンドのみで、または周波数リソースの周波数サブバンドの事前定義されたシーケンスのみに従って無線信号を送信するように静的に構成された周波数合成手段を端末に備えるステップ
を含む。
【００２２】
特定の実施形態によると、上記製造方法は以下の特徴の１つまたはいくつかを備え、それら特徴は単独で検討しても、技術的に可能な組み合わせに従って検討してもよい。
【００２３】
好ましくは、各端末は、周波数合成手段を備え、周波数合成手段の周波数ドリフトは、端末から放出される無線信号の瞬時周波数スペクトルの所定帯域幅より有意に大きい。
【００２４】
好ましくは、端末に静的に割り当てる周波数リソースの周波数サブバンド、または周波数リソースの周波数サブバンドのシーケンスを決定するステップは、
−  分数周波数合成器の小数除算値を選択するステップ、
−  電圧制御発振器に適用される制御電圧値を選択するステップ、
−  発振器の振動周波数を変更するために端末の内部に搭載するコンポーネントの群を選択するステップ、
−  発振器の振動周波数を変更するために少なくとも１つのコンポーネントに行う物理パッチを選択するステップ
の少なくとも１つを含む。
【００２５】
本発明は、以下の図を参照して以下の説明を読むとより理解される。以下の説明は、説明のみを目的とし、本発明の範囲を制限するものではない。
【図面の簡単な説明】
【００２６】
【図１】局および複数の端末を備える遠隔通信システムの概略図である。
【図２】端末から放出された無線信号による周波数サブバンド占有の一例を概略的に表す図である。
【図３】温度に応じた、端末による周波数サブバンド占有の変形の一例を概略的に表す図である。
【図４】周波数リソースを複数の範囲に分割する一例を概略的に表す図である。
【図５】共有周波数リソース中の無線信号の統計的多重化の一例を概略的に表す図である。
【図６】遠隔通信システム局の一実施形態を概略的に表す図である。
【発明を実施するための形態】
【００２７】
図１に、数個の端末１０および１つの局２０を備える遠隔通信システム１をごく概略的に示す。
【００２８】
本発明は、局２０に無線信号の形態でデータを放出するために数個の端末１０に共有される周波数リソースを使用する方法に関する。
【００２９】
本発明の文脈において、「局」は、すべての共有周波数リソースで無線信号を受信するように適合された受信側装置を意味するものと一般的に理解される。例えば、局２０は、端末１０の任意の１つであり、または各端末１０から放出されたデータを収集する、有線またはワイヤレス遠隔通信ネットワークのアクセス・ポイントなどの専用の装置である。
【００３０】
「無線信号」は、ワイヤレス手段を介して伝搬される電磁波と理解され、その周波数は、従来の無線波スペクトル（数ヘルツ〜数百ギガヘルツ）の範囲内、またはそれに近接する周波数帯である。
【００３１】
本発明は、主として、データが端末１０から局２０に放出される場合を考慮していることに留意されたい。局２０から端末１０に行われる可能性のあるデータ放出は本発明の範囲外である。
【００３２】
端末１０は、無線信号を放出する手段を備え、そのような手段は当業者には周知と思われる。さらに、端末１０は好ましくは、プログラムされたコンピュータなどの装置を含み、装置は、特に、ソフトウェア・コード命令が記憶された１つまたはいくつかの電子メモリに接続されたプロセッサを含む。いくつかの実施形態によると、端末１０は、ＡＳＩＣやＦＰＧＡ回路など、１つまたはいくつかの特殊電子回路も備える。
【００３３】
局２０は、無線信号を受信する手段を備え、そのような手段は当業者には周知と思われる。さらに、局２０は好ましくは、プログラムされたコンピュータなどの装置を含み、装置は、特に、ソフトウェア・コード命令が記憶された１つまたはいくつかの電子メモリに接続されたプロセッサを含む。いくつかの実施形態によると、端末１０は、ＡＳＩＣやＦＰＧＡ回路など、１つまたはいくつかの特殊電子回路も備える。
【００３４】
本発明はＦＤＭＡの周波数多重化原理に基づき、すなわち、無線信号は周波数リソースの異なる周波数サブバンドで放出される。
【００３５】
以下の説明では単一の周波数帯にある周波数リソースについての非制限的な例を提示し、この周波数帯を「多重チャネル」（ＭＣ）と呼び、この「ＭＣ」を多重チャネルと周波数リソースを区別なく使用する。これにより、以下では詳細に説明されない他の例において、周波数リソースが、可能性として互いに近接しないいくつかの異なる多重チャネルに分割される。
【００３６】
ＭＣ周波数リソースは、「多重チャネル帯域幅」（ＭＣＢ）と呼ぶ周波数帯域幅、および「多重チャネル中心周波数」（ＭＣＣＦ）と呼ぶ中心周波数を有する。
【００３７】
図２に、端末１０に使用される周波数サブバンドを示す。
【００３８】
この種の周波数サブバンドは主として、「端末標準動作周波数」（ＴＴＯＦ）と呼ぶ中心周波数と、「端末固有動作周波数範囲」（ＴＮＯＦＲ）と呼ぶ帯域幅とにより定義される。端末１０の端末固有動作周波数範囲（ＴＮＯＦＲ）は、ある時間にわたり１つの無線信号に事実上占有される周波数帯域幅に相当し、その端末１０の周波数合成手段の周波数ドリフトと、その端末１０から放出される無線信号の瞬時スペクトル帯域幅を考慮に入れる。この周波数帯域幅を「端末占有帯域幅」（ＴＯＢ）と呼ぶ。
【００３９】
したがって、端末固有動作周波数範囲（ＴＮＯＦＲ）は、端末占有帯域幅（ＴＯＢ）に周波数ドリフトＤを足した値（すなわちＴＯＢ＋Ｄ）にほぼ等しく、１キロヘルツ（ｋＨｚ）の周波数ドリフトＤが、端末標準動作周波数（ＴＴＯＦ）の±５００Ｈｚ（すなわち±Ｄ／２）の精度に相当するものと見なす。
【００４０】
端末占有帯域幅（ＴＯＢ）は、例えば、−１０デシベル（ｄＢ）の帯域として測定される。すなわち、端末占有帯域幅（ＴＯＢ）は、無線信号の帯域内の周波数で測定される最大エネルギーと比べて測定エネルギーが０ｄＢ〜−１０ｄＢの減衰を示すすべての周波数として測定される。換言すると、エネルギーが−１０ｄＢ以上（すなわち−２０ｄＢ、−３０ｄＢ等）減衰する周波数は、端末占有帯域幅（ＴＯＢ）の測定時に考慮に入れない。尚、他の測定規則を使用して端末占有帯域幅（ＴＯＢ）を測定してもよく（例えば−３０ｄＢの帯域）、特定の測定規則の選択は本発明の範囲を制限すると見なさない。
【００４１】
端末１０の周波数合成手段の周波数ドリフトは、端末１０から放出される無線信号のスペクトルの瞬時中心周波数（「端末実動作周波数」（ＴＲＯＦ）と呼ぶ）を、端末標準動作周波数（ＴＴＯＦ）と大きく異ならせる可能性がある。
【００４２】
図３に、例えば温度によって生じる、端末標準動作周波数（ＴＴＯＦ）と比較した端末実動作周波数（ＴＲＯＦ）の周波数ドリフトを例示する。部分ａ）、ｂ）、およびｃ）は、３つの異なる温度に対する端末固有動作周波数範囲（ＴＮＯＦＲ）における端末実動作周波数（ＴＲＯＦ）を表す。
【００４３】
好ましくは、端末１０から放出される無線信号の瞬時周波数スペクトルは、その端末１０の周波数合成手段の周波数ドリフトよりも有意に低い端末占有帯域幅（ＴＯＢ）を有する。「…よりも有意に低い」とは、端末占有帯域幅（ＴＯＢ）が端末固有動作周波数範囲（ＴＮＯＦＲ）の少なくとも５分の１の低さであるということである。換言すると、端末１０の端末固有動作周波数範囲（ＴＮＯＦＲ）は、同端末の周波数合成手段の周波数ドリフトのために、同端末から放出される無線信号の瞬時周波数スペクトルの帯域幅（ＴＯＢ）の少なくとも５倍の大きさになる。
【００４４】
特定の実施形態によると、端末占有帯域幅（ＴＯＢ）は、端末固有動作周波数範囲（ＴＮＯＦＲ）の少なくとも１０分の１の低さ、さらには１００分の１の低さである。
【００４５】
端末占有帯域幅（ＴＯＢ）と端末固有動作周波数範囲（ＴＮＯＦＲ）との比が小さいほど、周波数ドリフトが大きいことが理解される。一方で、許容される周波数ドリフトが大きいほど、より低費用の周波数合成手段を各端末１０に実装できることも理解される。
【００４６】
さらに、端末１０に周波数固有の安定性がないこと（すなわち端末の周波数ドリフト）を積極的に統計的に使用して、異なる端末１０から放出される無線信号の衝突の確率を下げることができる。
【００４７】
実際、下記で説明するように、異なる端末１０の端末標準動作周波数（ＴＴＯＦ）は好ましくは、異なる端末標準動作周波数（ＴＴＯＦ）および／または互いに重複しない周波数サブバンドの異なる端末１０への割り当てを保証しないように、乱数または擬似乱数生成器に従って決定される。したがって、端末固有動作周波数範囲（ＴＮＯＦＲ）より有意に低い端末占有帯域幅（ＴＯＢ）の無線信号を使用することにより、少なくとも部分的に重複する周波数サブバンドで異なる端末１０から放出される無線信号の周波数多重化に、周波数ドリフトが有利に寄与することが理解される。
【００４８】
端末占有帯域幅（ＴＯＢ）と端末固有動作周波数範囲（ＴＮＯＦＲ）とのＴＯＢ／ＴＮＯＦＲ比が小さいほど、異なる端末１０から放出された無線信号の衝突の確率が低くなる。
【００４９】
上述のように、データ・レートが非常に低いシステム、例えばセンサ・ネットワークが好ましいが、本発明の用途を制限するものではない。データ・レートが非常に低いシステムの場合、端末占有帯域幅（ＴＯＢ）は、例えば、数ヘルツ〜数百ヘルツ程度である。
【００５０】
端末固有動作周波数範囲（ＴＮＯＦＲ）は、端末標準動作周波数（ＴＴＯＦ）を合成するために実装される技術に依存する。水晶発振器を備える周波数合成手段では、精度は例えば２〜４０ｐｐｍ（「parts per million」）であり、そのため、１ギガヘルツに等しい端末標準動作周波数（ＴＴＯＦ）の場合、周波数ドリフトＤは、実質的に、２ｋＨｚ（２ｐｐｍの精度の場合は±１ｋＨｚ）〜４０ｋＨｚ（４０ｐｐｍの精度の場合は±２０ｋＨｚ）程度となる。その場合、端末固有動作周波数範囲（ＴＮＯＦＲ）は実質的に２ｋＨｚ〜４０ｋＨｚ程度になる。より正確には、１００Ｈｚの端末占有帯域幅ＴＯＢの場合、端末固有動作周波数範囲（ＴＮＯＦＲ）は２．１ｋＨｚ〜４０．１ｋＨｚ程度になり、したがってＴＮＯＦＲ／ＴＯＢ比は実質的に２１〜４０１程度となる。
【００５１】
周波数リソース（ＭＣ）を使用する方法の好ましい一実施形態では、周波数リソース（ＭＣ）の単一の周波数サブバンドで無線信号を放出するように、または、無線信号の送信に連続して使用される周波数リソースの周波数サブバンドの事前定義された１つのシーケンスに従って無線信号を放出するように各端末が事前に静的に構成される。
【００５２】
尚、事前定義されるシーケンスは、送信すべき無線信号がある時に端末１０が連続して周期的に使用する周波数サブバンドのシーケンスである。「周期的に」とは、端末がシーケンスの最後の周波数サブバンドを使用すると、シーケンスの最初の周波数サブバンドを次の送信に再使用するという意味である。好ましくは、異なるシーケンスを使用して各端末１０を構成することにより、同じ周波数サブバンドで異なる端末１０から放出された無線信号間に衝突が発生する確率を低減する。
【００５３】
単一の周波数サブバンドで、または事前に定義された周波数サブバンドの単一のシーケンスに従って各端末１０に放出を行わせることにより、すべての端末に対して一度に構成が行われ、各端末１０は、無線信号を放出するために使用する周波数サブバンドを各自独立して決定するように適合されることが理解される。
【００５４】
「すべての端末に対して一度に」とは、一旦構成されると、一つの端末１０が常に同じ周波数サブバンドまたは同じ周波数サブバンドのシーケンスを、局２０とは無関係に、すなわち、局２０と周波数同期せずに、また周波数サブバンドを使用する許可を求めて局２０とネゴシエートすることなく、デフォルトで使用するという意味である。換言すると、端末１０の構成、したがってその端末１０への周波数サブバンドまたは周波数サブバンドのシーケンスの割り当ては静的である。
【００５５】
しかし、これにより、特に、局２０が端末１０から送信された無線信号を正しく復号できないレベルの寄生信号が特定の周波数サブバンドに存在するためにその周波数サブバンドが使用できないことが後に明らかになった場合に、端末１０を後に再構成することが妨げられることはない。そのような再構成は、例えば、端末１０に内蔵されたソフトウェアを更新することにより、または工場に戻された後に端末１０の電子コンポーネントの一部を変更することにより行うことができる。
【００５６】
好ましくは、各端末１０は、局２０と時間同期することなく、また所与の時にその周波数サブバンドを使用する許可を求めて局２０とネゴシエートすることなく、その端末に静的に割り当てられた周波数サブバンドでいつ無線信号を放出するかを独立して決定する。一代替実施形態では、端末１０は、自身に静的に割り当てられた周波数サブバンドに事前の活動検索機構を実施し、その周波数サブバンドで無線活動が検出されないことを無線信号放出の条件とすることができる。
【００５７】
一代替実施形態では、無線信号は好ましくは、拡散符号を利用して事前に拡散された信号である。好ましくは、各端末１０は、事前に定義された１つの拡散符号または事前に定義された拡散符号のシーケンスを使用するように静的に構成される。
【００５８】
本発明は、端末１０を製造する方法にも関し、各端末１０は、共有周波数リソース（ＭＣ）の単一の周波数サブバンドで無線信号を放出するように、または、周波数サブバンドの事前定義された１つのシーケンスに従って無線信号を放出するように静的に構成される。
【００５９】
端末１０は基本的に、その端末１０に適切なソフトウェア手段および／またはハードウェア手段を備えることによって構成される。ソフトウェアの構成は、例えば、端末１０の不揮発性電子メモリにソフトウェア・コード命令を記憶することによって行い、これらの命令は、端末１０のプロセッサによって実行されると、端末１０に割り当てられた単一の周波数サブバンドで、または端末に割り当てられた周波数サブバンドの事前定義された１つのシーケンスに従って無線信号が放出されることを確実にする。ハードウェアの構成は、例えば、端末１０の製造時に特定の別個の電子コンポーネントおよび／または特殊電子回路を搭載することによって行われる。
【００６０】
システム１の端末１０の製造では、共有周波数リソース（ＭＣ）内で端末標準動作周波数（ＴＴＯＦ）が実質的に均等に拡散された周波数サブバンドを端末１０が使用することを保証しなければならない。
【００６１】
好ましくは、各端末１０を製造するために、製造方法は以下のステップを含む。
−  実質的に均等な法則に従って分散された乱数または擬似乱数を生成する少なくとも１つの生成器に従って、少なくとも１つの乱数または擬似乱数を取得するステップ、
−  その少なくとも１つの乱数または擬似乱数に従って、端末標準動作周波数（ＴＴＯＦ）または端末標準動作周波数（ＴＴＯＦ）のシーケンスを決定するステップ、
−  決定された端末標準動作周波数（ＴＴＯＦ）の前後の周波数サブバンドのみで、または決定された端末標準動作周波数（ＴＴＯＦ）の前後の周波数サブバンドの事前定義されたシーケンスのみに従って無線信号を送信するように静的に構成された周波数合成手段を端末１０に備えるステップ。
【００６２】
上述のように、各端末１０は好ましくは周波数合成手段を備え、周波数合成手段の周波数ドリフトは、その端末１０から放出される無線信号の端末占有帯域幅（ＴＯＢ）よりも有意に大きく、端末占有帯域幅（ＴＯＢ）が端末固有動作周波数範囲（ＴＮＯＦＲ）の少なくとも５分の１の低さとなるようにする。
【００６３】
少なくとも１つの乱数または擬似乱数を取得するステップでは、任意種類の生成器を実装して、実質的に均等な法則に従って分散された乱数または擬似乱数を生成することができる。特定の生成器を選択することで、本発明の代替実施形態が構成される。
【００６４】
端末１０が備える周波数合成手段は、好ましくは、少なくとも１つの水晶発振器を備える。他の例によると、周波数合成手段は、例えば、当業者に周知と思われる、ＳＡＷ、ＢＡＷ、またはＬＣ発振器等の１つまたはいくつかの共振発振器を備える。
【００６５】
少なくとも１つの水晶発振器を備える周波数合成手段の場合は、以下の周波数合成アーキテクチャを挙げることができるが、これは単に例示の目的で、本発明の範囲を制限するものではない。
−  直接逓倍または無逓倍水晶発振器
−  水晶発振器とその後段に置かれた同期発振器（水晶発振器の高調波であってもそうでなくともよい）
−  「電圧制御発振器」（ＶＣＯ）と組み合わせた分数または整数「位相ロック・ループ」（ＰＬＬ）合成器に応じて構築された水晶発振器。
【００６６】
１つまたはいくつかの乱数または擬似乱数生成器に従った端末１０の静的な構成は、以下の一般的原理に従って行う。
【００６７】
値の区間を定義し、共有周波数リソース（ＭＣ）と整合させる。「整合させる」とは、事前定義された区間の各値が共有周波数リソース（ＭＣ）中の各周波数に関連付けられる意味と理解される。
【００６８】
好ましくは、これは、可能な端末標準動作周波数（ＴＴＯＦｎ）の数Ｎに制限され、１≦ｎ≦Ｎであり、端末標準動作周波数は有利には、例えば実質的にＭＣＢ／Ｎの間隔で共有周波数リソース（ＭＣ）内で規則的に分散される。したがって、事前定義された区間は、Ｎ個の可能な離散値の集合Ｅｖになる。
【００６９】
構成対象の端末１０に対して、構成プロセスは、集合Ｅｖに含まれる乱数または擬似乱数値を取得するステップを含み、集合Ｅｖに特定の値が出現する確率が実質的に１／Ｎに等しくなるようにする。それと同等にして、Ｎ個の値の集合Ｅｖにある値のシーケンスを決定するように上記生成器を事前に実装することができ、そのシーケンスが記憶されることに留意されたい。構成する新しい端末１０ごとに、事前に記憶されたシーケンス中の次の値を使用し、シーケンスの最後の値に到達すると、次の端末１０はシーケンスの最初の値で構成する。
【００７０】
Ｎ個の値の集合Ｅｖにある所与の値から、その値に関連付けられた所与の端末標準動作周波数（ＴＴＯＦ）への変換は、周波数合成手段に使用される技術に依存する。集合Ｅｖで得られる値から、本方法は、その値に関連付けられた端末標準動作周波数の前後で無線信号を放出するように端末１０を構成する際に使用するパラメータを選択するステップを含む。様々な種類の周波数合成手段について、選択されるパラメータの非制限的な例を以下に提供する。
【００７１】
周波数合成手段が分数合成器を備える場合は、各端末標準動作周波数（ＴＴＯＦｎ）（１≦n≦Ｎ）は、分数合成器を所定の小数除算値Ｄｎ（１≦ｎ≦Ｎ）でプログラムすることによって得ることができる。集合Ｅｖ中の所与の値ｎ０は、端末標準動作周波数値（ＴＴＯＦｎ０）に対応し、小数除算値Ｄｎ０に関連付けられる。端末１０は、小数除算値Ｄｎ０で分数合成器をプログラムするように構成される。
【００７２】
周波数合成手段が分数合成器を備えず、主として発振器からなる場合は、特定の端末標準動作周波数（ＴＴＯＦｎ０）を使用するように、端末１０を構成する際にいくつかの異なる手法が可能である。水晶発振器の非制限的なシナリオを検討することにより、いくつかの可能な手法を下記に挙げる。
【００７３】
第１の手法は、可能な端末標準動作周波数（ＴＴＯＦｎ）（１≦ｎ≦Ｎ）の１つを提供するように各々適合された、いくつかの異なる水晶発振器を考えるものである。
【００７４】
第２の手法は、端末１０の電圧源がその電気端子に制御電圧を印加する可変コンデンサ等を利用して、水晶発振器の振動周波数を変更するものである。各端末標準動作周波数（ＴＴＯＦｎ）（１≦ｎ≦Ｎ）は、所定の電圧値Ｖｎ（１≦ｎ≦Ｎ）を適用することによって得られる。Ｎ個の値の集合にある所与の値ｎ０は、端末標準動作周波数値（ＴＴＯＦｎ０）に対応し、電圧値Ｖｎ０に関連付けられる。端末１０は、電圧源が電圧可変コンデンサの電気端子で電圧値Ｖｎ０を形成するように構成される。
【００７５】
端末１０の電圧源が電圧値Ｖｎ０を生成するように端末１０を構成する技術の非制限的な例を以下に挙げる。
【００７６】
主としてデジタル／アナログ（Ｄ／Ａ）変換器からなる電圧源の場合、端末１０は、所望の制御電圧値Ｖｎ０をＤ／Ａ変換器の出力で得られるようにする離散値をそのＤ／Ａ変換器の入力に与えるように構成され、上記離散値は、例えば端末１０のフラッシュ・メモリに記憶される。
【００７７】
電圧源で生成される電圧値が、主として抵抗ブリッジなどの電気回路によって決定される場合は、生成される制御電圧値は主として、その電気回路を構成するコンポーネントの値によって決まる。制御電圧値Ｖｎ０は、電気回路を形成するコンポーネントの値を適切に変更することによって得る。この変更は、以下のように事前または事後に行う。
−  事前の変更では、それぞれ異なる値を有するコンポーネントのＮ個のグループを考え、各グループは、電圧値ＶｎをＮ個の可能な値から得ることを可能にする。所望の制御電圧値Ｖｎ０は集合Ｅｖから得られる値に応じて選択され、電圧値Ｖｎ０の取得を実質的に可能にするグループのコンポーネントを製造時に端末１０内部に搭載する。
−  事後の変更では、コンポーネントのグループがすでに端末１０内に搭載されている場合に、それらコンポーネントのうち少なくとも１つの値を変更する。そのような変更は、可変のコンポーネント（可変抵抗、コンデンサ、または誘導コイル）の場合は、コンポーネントに対する単純な操作（手動、またはプログラムされたロボットを使用して）を介して、または、例えばプログラムされたロボットで操縦されるレーザを利用して当該コンポーネントに適用される物理パッチを介して行う。
【００７８】
水晶発振器の振動周波数を変更する第３の手法は、水晶発振器の特性を直接変更するものである。そのような変更は、例えば、プログラムされたロボットで操縦されるレーザを利用して、またはさらにはプログラムされたロボットで水晶発振器内に誘導コイルを機械的に形成することにより、水晶発振器内部の少なくとも１つの受動コンポーネント（コンデンサ、誘導コイル）に適用される物理パッチを介して行う。
【００７９】
尚、所望の端末標準動作周波数（ＴＴＯＦｎ０）を得るために、上述の例を組み合わせてもよい。そのような組み合わせは、単一の解決策で共有周波数リソース（ＭＣ）全体を調べることができない場合、および／または隣接する標準動作周波数間を区別するのに十分な精度を得られない場合（これは所与の解決策でＭＣＢ／Ｎより低い精度レベルが得られない場合に該当する）に、必要となる場合もある。
【００８０】
例えば、Ｍ個のコンポーネント・グループを考えて（ＭはＮより小さい）、共有周波数リソース（ＭＣ）の異なる周波数範囲Ｐｍ（１≦ｍ≦Ｍ）にある振動周波数を得ることができ、各範囲Ｐｍは、Ｐ個の可能な端末標準動作周波数（ＴＴＯＦ）からなる。
【００８１】
図４に、そのようなＭ個の範囲Ｐｍへの共有周波数リソース（ＭＣ）の分割を示す。非制限的な例によると、水晶発振器の振動周波数を事前変更するために、受動コンポーネントのＭ個のグループを定義する。乱数または擬似乱数生成器に従って決定された所望の端末標準動作周波数（ＴＴＯＦｎ０）について、その端末標準動作周波数（ＴＴＯＦｎ０）を見つけることができる範囲Ｐｍ０が決まる。そして、その範囲に関連付けられたグループのコンポーネントを端末１０に搭載する。その後、それらコンポーネントのうち少なくとも１つの値を事後変更して、端末標準動作周波数（ＴＴＯＦｎ０）に実質的に等しい振動周波数を得る。
【００８２】
いくつかの実施形態によると、複数個の乱数または擬似乱数生成器を使用する場合もある。非制限的な一例によると、第１の乱数生成器または擬似乱数生成器を使用して共有周波数リソース（ＭＣ）の周波数範囲Ｐｍ０を選択し、次いで第２の乱数生成器を使用して、選択された範囲Ｐｍ０内で端末標準動作周波数を選択する。
【００８３】
シーケンスに従って無線信号を放出する端末１０の静的な構成も、同様にして、乱数または擬似乱数生成器に従っていくつかの端末標準動作周波数を選択することにより行われる。特定の一実施形態によると、第１の乱数生成器または擬似乱数生成器を使用して、共有周波数リソース（ＭＣ）の周波数範囲Ｐｍ０を選択し、次いで第２の乱数生成器を使用して、そのすべてが範囲Ｐｍ０内にある端末標準動作周波数のシーケンスを選択する。
【００８４】
本発明は、少なくとも１つの局２０および複数の端末１０を備える遠隔通信システム１にも関する。
【００８５】
使用される周波数合成手段の周波数ドリフトが端末占有帯域幅（ＴＯＢ）より著しく大きいため、また該当する場合には、少なくとも１つの乱数または擬似乱数生成器に従って端末１０を静的に構成するため、異なる端末１０に使用される周波数サブバンドは必ずしも互いに素でないことが理解される。したがって、上記周波数サブバンドの一部は完全または部分的に互いと重複する可能性がある（例えば端末固有動作周波数範囲（ＴＮＯＦＲ）が可能な端末標準動作周波数（ＴＴＯＦｎ）間の間隔より大きい場合）。
【００８６】
図５に、共有周波数リソース（ＭＣ）で異なる端末１０から放出された無線信号の統計的多重化の例を概略的に示す。図５は特に、右側に、異なる端末１０に割り当てられた範囲（ＴＮＯＦＲ）の２つの周波数サブバンドが互いに部分的に重複し、それらの端末から放出される無線信号の衝突の発生を周波数ドリフトで防止する場合を示す。
【００８７】
図５では、すべての端末１０が実質的に同じ端末固有動作周波数範囲（ＴＮＯＦＲ）を有する。しかし、これは、他の例で端末１０が互いに異なる端末固有動作周波数範囲を持つことを妨げるものではない。
【００８８】
システム１では、各端末１０は、自身に静的に割り当てられた周波数サブバンドでいつ無線信号を放出するか、および／またはその周波数サブバンドで無線信号を放出する際に使用する電力を自律的に決定するように構成される。
【００８９】
局２０は好ましくは、異なる周波数サブバンドで異なる端末１０から同時に放出された無線信号を検出および復号する手段を備える。
【００９０】
その無線信号が事前に局２０と同期されていないとすると、局は、多重チャネル（ＭＣ）に出現する無線信号を検出し、それらの無線信号が端末１０から放出された無線信号に相当するのか、または寄生信号に相当するのか判定することが可能でなければならない。
【００９１】
好ましくは、局２０は、「ソフトウェア定義無線」（ＳＤＲ）タイプの実装、例えば以下の実装例の１つまたはいくつかを使用する。以下の実装例は、単なる例示の目的で提供され、本発明の範囲を制限するものではない。
−  直接または逓倍水晶発振器、水晶発振器とその後段に置かれた同期発振器、整数ワイドステップＰＬＬ合成器を制御する水晶発振器、または分数ＰＬＬ合成器および／もしくはＤＤＳ（「直接デジタル合成」）合成器を制御する水晶発振器を使用して、端末標準動作周波数（ＴＴＯＦｎ）間の選択性が良好になるように低ノイズのローカル内部発振器を生成する。
−  多重チャネル中心周波数（ＭＣＣＦ）またはＭＣＣＦの乗数に等しい振動周波数を用いる直接のベースバンド変換、またはヘテロダイン実装、または多重チャネル中心周波数（ＭＣＣＦ）前後での直接のアナログ／デジタル変換。
−  「高速フーリエ変換」（ＦＦＴ）に基づくアルゴリズムを利用した多重チャネル（ＭＣ）内のエネルギー検出。
−  帯域幅（ＭＣＢ）および複数の信号を同時に処理するのに十分なダイナミクスを備えるデジタル・ベースバンド。
【００９２】
図６に、局２０の好ましい一実施形態を概略的に示す。局２０は、図６に示さない他の要素も備えてよいことに留意されたい。
【００９３】
この非制限的な例で、局２０は主として、アナログ・モジュール２００およびデジタル・モジュール２１０を備える。
【００９４】
図６に示すように、アナログ・モジュール２００は特に以下を含む。
−  多重チャネル（ＭＣ）で無線信号を受信するように適合されたアンテナ２０１。
−  「アンテナ・フィルタ」と呼び、多重チャネル（ＭＣ）外側の不要な信号を除去するように適合された、帯域フィルタ２０２。
−  低ノイズ増幅器２０３。
−  ＬＯＩで表される実質的に正弦波の信号に合わせて適合されたローカル発振器２０４。周波数は、多重チャネル中心周波数（ＭＣＣＦ）に実質的に等しい。
−  信号ＬＯＩの直角位相の複製（ＬＯＱで表される）を形成するように適合された移相器２０５。
−  アンテナ・フィルタ２０２の出力信号をそれぞれ信号ＬＯＩおよび信号ＬＯＱと混合するように適合された２つのミキサー２０６。
−  「アンチエイリアス・フィルタ」と呼び、例えば多重チャネル帯域幅（ＭＣＢ）の２分の１に実質的に等しい（すなわちＭＣＢ／２）カットオフ周波数を有する、それぞれ各ミキサー２０６の出力にある２つの帯域フィルタ２０７。
【００９５】
図６に示すように、デジタル・モジュール２１０は特に、例えば多重チャネル帯域幅（ＭＣＢ）に実質的に等しいサンプリング周波数で各アンチエイリアス・フィルタ２０７の出力信号をサンプリングするように適合された２つのアナログ／デジタル（Ａ／Ｄ）変換器２１１を備える。
【００９６】
Ａ／Ｄ変換器２１１の出力信号はそれぞれ、ＳＴで表される複素信号の実数部と虚数部に対応する。この複素表現を図６ではＡ／Ｄ変換器２１１出力信号の加算で示し、信号の１つは事前に虚数単位ｊで乗算される（虚数単位はｊ２=−１になるような複素数）。
【００９７】
そしてデジタル・モジュール２１０は複数個の機能ブロックを備える。
【００９８】
まず、デジタル・モジュール２１０は、複素信号ＳＴを時間領域から周波数領域に変換して、複素信号ＳＴの周波数スペクトルを表す複素信号ＳＦを得るように適合されたＦＦＴブロック２１２を備える。
【００９９】
そして、デジタル・モジュール２１０は検出ブロック２１３を備える。検出ブロック２１３は、端末１０から放出された無線信号の存在に対応する可能性があるエネルギー・ピークが得られる周波数を複素信号ＳＦ内で探索するように設計される。
【０１００】
実際、特に端末１０の端末実動作周波数（ＴＲＯＦ）は周波数ドリフトのためにその端末の端末標準動作周波数（ＴＴＯＦ）と非常に異なる可能性があるため、局２０は、異なる端末１０に使用される周波数を必ずしも把握していない。したがって、ＦＦＴブロック２１２および検出ブロック２１３の使用により、端末１０が現在無線信号を放出しているかどうかを判定することができ、該当する場合には、その端末実動作周波数（ＴＲＯＦ）を推定することができる。
【０１０１】
その目的のために、ＦＦＴブロック２１２は、端末占有帯域幅（ＴＯＢ）の無線信号の検出が可能になる周波数領域の粒度を持つ複素信号ＳＦを提供するように適合しなければならない。いくつかの端末占有帯域幅が可能な場合は、最小の端末占有帯域幅（ＴＯＢＭＩＮ）を使用することが好ましい。例えば、多重チャネル帯域幅（ＭＣＢ）に実質的に等しいサンプリング周波数を仮定すると、ＦＦＴブロック２１２は例えば、ＭＣＢ／ＴＯＢＭＩＮに等しいステップ・サイズで、すなわち素周波数０、ＴＯＢＭＩＮ、２・ＴＯＢＭＩＮ、３・ＴＯＢＭＩＮ、…、ＭＣＢ−ＴＯＢＭＩＮについて、０Ｈｚ〜ＭＣＢの周波数範囲内で周波数サンプルを取得するように構成される。
【０１０２】
検出ブロック２１３は、例えば素周波数ごとにエネルギーを測定する。端末１０から放出された信号を検出する検出基準の１つは、例えば、ある素周波数について測定されたエネルギーが所定の閾値より大きい時に成立する。
【０１０３】
検出ブロック２１３により例えば素周波数値Ｆｅ０の前後で信号が検出されると、その値Ｆｅ０をローカルの可変発振器ブロック２１４の入力に供給し、発振器ブロック２１４は周波数Ｆｅ０の正弦波信号を生成する（複素指数関数の形態で）。
【０１０４】
乗算ブロック２１５を利用して周波数Ｆｅ０の正弦波信号に複素信号ＳＴを乗算する。この乗算で、素周波数値Ｆｅ０の前後で検出された信号をゼロ周波数０Ｈｚの前後にすることができる。
【０１０５】
そして、デジタル・モジュール２１０はローパス・フィルタ・ブロック２１６を備え、カットオフ周波数は、端末占有帯域幅（ＴＯＢ）の２分の１（すなわちＴＯＢ／２）に実質的に等しい。いくつかの端末占有帯域幅が可能な場合は、最大の端末占有帯域幅（ＴＯＢＭＡＸ）を使用することが好ましい（すなわちＴＯＢＭＡＸ／２に実質的に等しいカットオフ周波数）。
【０１０６】
そして、デジタル・モジュール２１０は、端末１０から放出されたデータを抽出するように適合された復号ブロック２１７を備える。復号ブロック２１７の正確な実装は、端末１０から放出されるデータの所定のフォーマット・プロトコルに応じて決まり、当業者に周知と思われる手段を実装する。
【０１０７】
検出ブロック２１３は、端末１０から放出された信号に対応する可能性のあるいくつかの素周波数を検出できることに留意されたい。例えば、検出ブロック２１３は、Ｎｓ個のそのような素周波数を検出することができる。その場合、端末１０に使用される可能性のあるＮｓ個の各素周波数前後の信号を並行して処理するために、ローカル可変発振器ブロック２１４、乗算器２１５、帯域フィルタ２１６、および復号器２１７は、有利にはＮｓ回繰り返される。
【０１０８】
有利には、局２０は、端末１０の端末標準動作周波数（ＴＴＯＦ）を追跡してその周波数ドリフトを追従するための周波数追跡手段を備える。有利には、局２０は、処理される端末標準動作周波数（ＴＴＯＦ）に適するように適合されたフィルタリング手段を備える。
【０１０９】
より一般的には、本発明の範囲は、上記で非制限的な例として挙げた上述の実施形態に制限されず、当業者の技術範囲内にあるすべての変形とその均等物に及ぶ。
【０１１０】
したがって、本発明は、同じ周波数リソース（ＭＣ）を分散的に共有する異なる端末１０から放出される無線信号の統計的多重化を可能にする。実際、端末１０から放出される無線信号の瞬時周波数スペクトル帯域幅（ＴＯＢ）より大きい周波数ドリフトを有する周波数合成手段を使用することにより、統計的周波数多重化が可能になる。
【０１１１】
さらに、端末１０は有利には、単一の所定の周波数サブバンドで、または周波数サブバンドの単一の所定のシーケンスに従って無線信号を放出するように工場で静的に構成される。端末標準動作周波数（ＴＴＯＦｎ）は実質的に無作為に割り当てられ、それによっても異なる無線信号の統計的周波数多重化が可能になる。このような手法を「強制統計ＦＤＭＡ」（ＦＳＦＤＭＡ）と表現することができる。
【０１１２】
本発明では、端末１０同士および端末１０と局２０間の時間同期および周波数同期は必要ない。
【０１１３】
したがって、端末１０は本発明によると低コストで製造することができ、それにより本発明は特にセンサ・ネットワークなどの低データ・レートのシステム、例えば、瞬時周波数スペクトル帯域幅が５Ｈｚ〜５ｋＨｚ、または好ましくは５Ｈｚ〜５００Ｈｚの無線信号を使用するシステムに特に適することが理解される。
【０１１４】
本発明による遠隔通信システム、特に局２０は、無線信号をいつ放出するか、およびどれだけの電力で放出するかを端末１０が決定する限り、また周波数ドリフトが端末占有帯域幅（ＴＯＢ）よりはるかに大きいような周波数合成手段を端末が備える限り、その端末１０に従属する。したがって、局２０は、一般には、各端末１０がいつ無線信号の放出を計画しているかを事前に把握せず、各端末１０に使用される周波数サブバンド（より詳細には各端末１０の端末実動作周波数（ＴＲＯＦ））を事前に把握しない。したがって、局２０は、端末から放出された可能性のある無線信号を求めて多重チャネル（ＭＣ）全体を探索しなければならない。
【符号の説明】
【０１１５】
１  システム
１０  端末
２０  局
２００  アナログ・モジュール
２０１  アンテナ
２０２  アンテナ・フィルタ（帯域フィルタ）
２０３  低ノイズ増幅器
２０４  ローカル発振器
２０５  移相器
２０６  ミキサー
２０７  アンチエイリアス・フィルタ（帯域フィルタ）
２１０  デジタル・モジュール
２１１  Ａ／Ｄ変換器
２１２  ＦＦＴブロック
２１３  検出ブロック
２１４  可変発振器ブロック
２１５  乗算ブロック（乗算器）
２１６  ローパス・フィルタ・ブロック（帯域フィルタ）
２１７  復号ブロック（復号器）
【図１】
2013535132.tif 000003
【図２】
2013535132.tif 000004
【図３】
2013535132.tif 000005
【図４】
2013535132.tif 000006
【図５】
2013535132.tif 000007
【図６】
2013535132.tif 000008
【国際調査報告】
2013535132.tif 000009
2013535132.tif 000010
2013535132.tif 000011
2013535132.tif 000012
2013535132.tif 000013
2013535132.tif 000014
2013535132.tif 000015
2013535132.tif 000016